(57)【特許請求の範囲】
【請求項１】
カラオケ集合店舗の各客室において電子メニュー注文装置とカラオケ装置が通信可能に装備されたカラオケ客室システムであって、
電子メニュー注文装置は、記憶手段と、表示手段と、入力手段と、制御手段とを備え、
記憶手段は、メニューデータベースと、ゲーム情報とを記憶し、
メニューデータベースは、品目ＩＤに対応付けした飲食物の品目についての品目情報を集約し、
ゲーム情報は、品目ＩＤと、楽曲ＩＤと、歌唱採点結果に応じた飲食物の割引料金を示す料金割引情報を対応付けし、
表示手段は、制御手段の制御により画像を表示し、
入力手段は、客による操作入力を可能とし、
制御手段は、メニュー処理と、送信処理と、演奏予約処理と、料金割引処理とを行い、
メニュー処理は、操作入力に応答してメニューデータベースの各品目情報を表示させて注文入力を受け付け、
送信処理は、メニュー処理にて受け付けた品目情報に対応する品目ＩＤを含む注文入力をＰＯＳシステムに出力し、
ゲーム受付処理は、メニュー処理にて選択入力された品目ＩＤがゲーム情報に含まれる場合、当該品目ＩＤに対応する楽曲ＩＤと料金割引情報に基づいてゲーム勧誘メッセージを表示し、
ゲーム勧誘メッセージは、当該楽曲ＩＤの曲目と、当該楽曲をカラオケ歌唱して採点結果が良ければ選択した品目の料金が割引になる旨を告知し、
演奏予約処理は、ゲーム勧誘メッセージの告知に対する了解の操作入力に応答して当該楽曲ＩＤをカラオケ装置に通知し、
料金割引処理は、カラオケ装置から採点データが通知された際、ゲーム受付処理で選択された品目ＩＤと、採点データおよび料金割引情報に基づいて算出した割引料金情報とをＰＯＳシステムに出力し、
カラオケ装置は、電子メニュー注文装置から前記演奏予約処理により通知された楽曲ＩＤの楽曲を演奏する際に歌唱採点結果処理を行い、その採点データを電子メニュー注文装置に通知する
カラオケ客室システム。
【請求項２】
カラオケ集合店舗の各客室において、カラオケ装置と通信可能に設置される電子メニュー注文装置であって、
記憶手段と、表示手段と、入力手段と、制御手段とを備え、
記憶手段は、メニューデータベースと、ゲーム情報とを記憶し、
メニューデータベースは、品目ＩＤに対応付けした飲食物の品目についての品目情報を集約し、
ゲーム情報は、品目ＩＤと、楽曲ＩＤと、歌唱採点結果に応じた飲食物の割引料金を示す料金割引情報を対応付けし、
表示手段は、制御手段の制御により画像を表示し、
入力手段は、客による操作入力を可能とし、
制御手段は、メニュー処理と、送信処理と、演奏予約処理と、料金割引処理を行い、
メニュー処理は、操作入力に応答してメニューデータベースの各品目情報を表示させて注文入力を受け付け、
送信処理は、メニュー処理にて受け付けた品目情報に対応する品目ＩＤを含む注文入力をＰＯＳシステムに出力し、
ゲーム受付処理は、メニュー処理にて選択入力された品目ＩＤがゲーム情報に含まれる場合、当該品目ＩＤに対応する楽曲ＩＤと料金割引情報に基づいてゲーム勧誘メッセージを表示し、
ゲーム勧誘メッセージは、当該楽曲ＩＤの曲目と、当該楽曲をカラオケ歌唱して採点結果が良ければ選択した品目の料金が割引になる旨を告知し、
演奏予約処理は、ゲーム勧誘メッセージの告知に対する了解の操作入力に応答して当該楽曲ＩＤをカラオケ装置に通知し、
料金割引処理は、カラオケ装置から採点データが通知された際、ゲーム受付処理で選択された品目ＩＤと、採点データおよび料金割引情報に基づいて算出した割引料金情報とをＰＯＳシステムに出力する
電子メニュー注文装置。
【発明の詳細な説明】
【技術分野】
【０００１】
この発明は、カラオケ集合店舗において電子メニュー注文装置とカラオケ装置が通信可能に装備されたカラオケ客室システムに関し、具体的には、客が操作してカラオケ楽曲の検索と楽曲の演奏予約を行うためのカラオケリモコン装置としての機能と、客が操作して飲食物を注文するためのセルフオーダーＰＯＳシステムの端末としての機能とを備えた電子メニュー注文装置と、カラオケ装置とが連携するカラオケ客室システムに関する。
【背景技術】
【０００２】
カラオケボックスなどのカラオケ集合店舗では、複数の客室のそれぞれにカラオケ装置が設置されている。客は、客室を時間単位で借り、その利用時間内で自由にカラオケ楽曲をカラオケ装置に演奏させて歌唱を楽しむことができる。また、飲食物を注文して客室で飲食をすることもできる。そのため、カラオケ集合店舗には、周知のＰＯＳシステムが導入されている。
【０００３】
ＰＯＳ（point of sales）とは、商品の販売・支払いの現場で、その販売に関わるデータ（品目、数量、販売時刻など）を収集することである。そして、飲食店における一般的なＰＯＳシステムは、店舗における売上を管理するオーダリングコントローラなどと呼ばれるコンピュータと、客からの注文に関する情報をオーダリングコントローラへ無線送信するＰＯＳ端末、ＰＯＳ端末より入力された注文情報を印刷して厨房に伝えるためのプリンタ、レジ精算時に価格計算やレシートの発行を行うＰＯＳ対応レジスタなどを含んで構成されている。
【０００４】
カラオケ集合店舗において、客が飲食物を注文する場合、客は、客室にあるインターフォンなどを使って店員を呼び、メニューを見て決めた希望の品目を店員に伝える。店員は、注文された品目をＰＯＳ端末により入力する。それによって、客の注文に関する情報が厨房にて印刷出力されて、調理すべき品目や配膳先が調理人や配膳係に通知される。また注文情報は、オーダリングコントローラに送信されて記憶されるとともに、客が退出するときにはフロント等に設置されているレジスタが客室毎の飲食代金を集計し、店員がその集計結果に基づいて、客室の利用料金とともに飲食に関わる代金を客に請求する。
【０００５】
ところで、近年のカラオケ装置は、ユーザ入力を無線通信により受け付けるリモコン装置として楽曲検索機能を実装したタブレットコンピュータ（客室端末）を付属している。そして、この客室端末に電子メニュー注文装置としての機能を追加実装し、客が客室端末を操作して自分で飲食物を注文することができるようになった（非特許文献１参照）。また、下記特許文献１には客室端末とＰＯＳとを連携させるためのカラオケ集中管理方法に関する技術が記載されている。
【０００６】
電子メニュー注文装置機能を備えた客室端末は、メニューに掲載されている飲食物の品目を選択可能にして客に提示するとともに、客が指定した品目の注文情報をＰＯＳシステムに与える。このような客が自分で飲食物を注文できるＰＯＳシステム（セルフオーダーＰＯＳシステム）によれば、客がいちいち店員を呼ばなくても飲食物を注文できるようになり、店員を呼ぶ時間を削減でき、注文機会が増える。それによって、カラオケ集合店舗における飲食に関わる売り上げを伸ばすことが期待できる。
【特許文献１】特開平２００４−３３４０６６号公報
【非特許文献１】株式会社エクシング、”カラオケ店舗向け「オーダーエントリーシステム」発売”、[online]、[平成１７年１２月１６日検索]、インターネット＜ＵＲＬ：http://www.xing.co.jp/news/news051109.html＞
【発明の開示】
【発明が解決しようとする課題】
【０００７】
カラオケ集合店舗では、各客室の利用時間が決められている。そして、利用料金は、ルームチャージとして、あるいは客一人ごとに請求される。客は、客室利用料金を支払えば、利用時間以内にカラオケ楽曲を何曲でも歌唱することができる。したがってカラオケ集合店舗における客室利用に関わる収益は、客室数と１日の営業時間によって上限が決まってしまう。より収益を上げようとすれば、客により多くの飲食物を注文してもらわなくてはならない。しかし、カラオケをしながら飲食をするのであるから、客が飲食物を特に注文したいという欲求がなければ、利用時間内で注文される品目の数が劇的に増えることはない。
【０００８】
本発明者らは、カラオケ集合店舗における収益を向上させるために、カラオケを歌唱したいという意欲と、飲食物を注文したいという意欲とを連動させることが必要であると考えた。そして、電子メニュー注文装置機能を備えた客室端末なら、カラオケを利用するための操作と、飲食物を注文する操作とが同じハードウエアで行える、という利点に着目し、カラオケ装置と客室端末を含む客室のコンピュータシステム（カラオケ客室システム）とＰＯＳとを連携させて飲食物の注文機会を増やそうと考え、本発明を創作した。
【課題を解決するための手段】
【０００９】
本発明は、次の事項（１）〜（15）によって特定されるものである。 
（１）カラオケ集合店舗の各客室において電子メニュー注文装置とカラオケ装置が通信可能に装備されたカラオケ客室システムであること
（２）電子メニュー注文装置は、記憶手段と、表示手段と、入力手段と、制御手段とを備えること
（３）記憶手段は、メニューデータベースと、ゲーム情報とを記憶すること
（４）メニューデータベースは、品目ＩＤに対応付けした飲食物の品目についての品目情報を集約すること
（５）ゲーム情報は、品目ＩＤと、楽曲ＩＤと、歌唱採点結果に応じた飲食物の割引料金を示す料金割引情報を対応付けすること
（６）表示手段は、制御手段の制御により画像を表示すること
（７）入力手段は、客による操作入力を可能とすること
（８）制御手段は、メニュー処理と、送信処理と、演奏予約処理と、料金割引処理とを行うこと
（９）メニュー処理は、操作入力に応答してメニューデータベースの各品目情報を表示させて注文入力を受け付けること
（10）送信処理は、メニュー処理にて受け付けた品目情報に対応する品目ＩＤを含む注文入力をＰＯＳシステムに出力すること
（11）ゲーム受付処理は、メニュー処理にて選択入力された品目ＩＤがゲーム情報に含まれる場合、当該品目ＩＤに対応する楽曲ＩＤと料金割引情報に基づいてゲーム勧誘メッセージを表示すること
（12）ゲーム勧誘メッセージは、当該楽曲ＩＤの曲目と、当該楽曲をカラオケ歌唱して採点結果が良ければ選択した品目の料金が割引になる旨を告知すること
（13）演奏予約処理は、ゲーム勧誘メッセージの告知に対する了解の操作入力に応答して当該楽曲ＩＤをカラオケ装置に通知すること
（14）料金割引処理は、カラオケ装置から採点データが通知された際、ゲーム受付処理で選択された品目ＩＤと、採点データおよび料金割引情報に基づいて算出した割引料金情報とをＰＯＳシステムに出力すること
（15）カラオケ装置は、電子メニュー注文装置から前記演奏予約処理により通知された楽曲ＩＤの楽曲を演奏する際に歌唱採点結果処理を行い、その採点データを電子メニュー注文装置に通知すること
【００１０】
本発明は、上記カラオケ客室システムを構成する電子メニュー注文装置にも及んでおり、次の事項（21）〜（34）により特定されるものである。 
（21）カラオケ集合店舗の各客室において、カラオケ装置と通信可能に設置される電子メニュー注文装置であること
（22）記憶手段と、表示手段と、入力手段と、制御手段とを備えること
（23）記憶手段は、メニューデータベースと、ゲーム情報とを記憶すること
（24）メニューデータベースは、品目ＩＤに対応付けした飲食物の品目についての品目情報を集約すること
（25）ゲーム情報は、品目ＩＤと、楽曲ＩＤと、歌唱採点結果に応じた飲食物の割引料金を示す料金割引情報を対応付けすること
（26）表示手段は、制御手段の制御により画像を表示すること
（27）入力手段は、客による操作入力を可能とすること
（28）制御手段は、メニュー処理と送信処理と、演奏予約処理と、料金割引処理を行うこと
（29）メニュー処理は、操作入力に応答してメニューデータベースの各品目情報を表示させて注文入力を受け付けること
（30）送信処理は、メニュー処理にて受け付けた品目情報に対応する品目ＩＤを含む注文入力をＰＯＳシステムに出力すること
（31）ゲーム受付処理は、メニュー処理にて選択入力された品目ＩＤがゲーム情報に含まれる場合、当該品目ＩＤに対応する楽曲ＩＤと料金割引情報に基づいてゲーム勧誘メッセージを表示すること
（32）ゲーム勧誘メッセージは、当該楽曲ＩＤの曲目と、当該楽曲をカラオケ歌唱して採点結果が良ければ選択した品目の料金が割引になる旨を告知すること
（33）演奏予約処理は、ゲーム勧誘メッセージの告知に対する了解の操作入力に応答して当該楽曲ＩＤをカラオケ装置に通知すること
（34）料金割引処理は、カラオケ装置から採点データが通知された際、ゲーム受付処理で選択された品目ＩＤと、採点データおよび料金割引情報に基づいて算出した割引料金情報とをＰＯＳシステムに出力すること
【発明の効果】
【００１１】
本発明者らは、客室のレンタル料を基本としたカラオケ集合店舗における収益構造には限界がある、ということを認識していた。そのため、歌唱音声をＣＤに録音できるサービスなど、カラオケに付随する有料サービスを展開し、収益の改善を試みている。
【００１２】
その一方で、カラオケ集合店舗における売り上げの多くが客室での飲食に関わる代金によるものであることを鑑み、カラオケに付随するサービスを客室における飲食物の注文機会の増加に直結できる新規なサービスを模索していた。本発明は、このような背景に基づいてなされたものである。
【００１３】
本発明のカラオケ客室システムによれば、カラオケ集合店舗を訪れた客がある品目の飲食物を注文したとき、その品目に楽曲ＩＤを含むゲーム情報が対応付けされ、表示したゲーム勧誘メッセージに対して客がゲームの実施を了承すると、その楽曲演奏時に歌唱の巧拙を採点し、採点結果がよければ品目の料金を割り引くことができる。
【００１４】
カラオケ楽曲を歌唱することで飲食物が割り引かれる可能性があると知れば、客は、自ずと、飲食物を注文してみようという気になる。そのため、客がカラオケの歌唱に夢中になっても、飲食物の注文意欲が減退せず、飲食物の注文機会が増加する可能性がある。それによって、カラオケ集合店舗の収益向上が期待できる。
【００１５】
また、例えば、新人の楽曲やリリースされて間もない楽曲を元歌とするカラオケ楽曲の楽曲ＩＤをゲーム情報に含ませておけば、新人の楽曲や新曲がカラオケで歌唱される機会が増え、その楽曲の認知度が上がる。そのため、元歌のＣＤの売り上げにも結びつく。したがって、品目の割引相当額をＣＤの販売実績を伸ばしたいレコード会社が広告費として負担する、というビジネスモデルも成立する。そうなれば、割引による一品目当たりの利益損失分を補填できる。
【発明を実施するための最良の形態】
【００１６】
＝＝＝カラオケ集合店舗におけるネットワーク構成＝＝＝
図１に本発明のカラオケ客室システムを設置したカラオケ集合店舗（以下、カラオケ店舗）におけるネットワーク構成を示した。この実施例のカラオケ客室システム１は、周知の通信カラオケシステムの一部であり、カラオケ店舗１００には、各客室１２０に設置されているカラオケ装置２を相互接続するＬＡＮ１１０を主体としたカラオケシステムと、飲食物の注文に関わる各種業務を担う周知のＰＯＳシステム６０の２つのネットワークが併存している。カラオケシステムとＰＯＳシステム６０とはゲートウエイ５０を介して接続され、カラオケシステムからＰＯＳシステム６０への通信を可能としている。各店舗１００のＬＡＮはインターネット８０ａを利用したＶＰＮ８０ｂを介してカラオケ事業者が管理するホスト装置９０と接続され、カラオケ装置２はホスト装置９０からカラオケデータの配信を受ける。
【００１７】
カラオケ装置２に付属する客室端末３０は、自身に実装されている所定規格の無線ＬＡＮインタフェース（IEEE 802.11a，IEEE 802.11b，IEEE 802.11gなど）により、無線アクセスポイント５０を介してカラオケシステムのＬＡＮ１１０に接続してカラオケ装置２と通信する。また客室端末３０は、電子メニュー注文装置としても機能し、ＬＡＮ１１０とゲートウエイ５０とを経由してＰＯＳシステム６０に対して飲食物の品目や料金に関わる注文情報を送信する。ＰＯＳシステム６０では、受け付けた注文情報に基づいて、例えば、厨房に設置されたプリンタに品目や配膳先の客室が印刷出力されたり、カラオケ店舗１００のフロントにおけるＰＯＳ対応レジスタに向けて出力されたりする。
【００１８】
＝＝＝カラオケ客室システムの基本的な構成と動作＝＝＝
本実施例のカラオケ客室システム１は、各客室１２０に設置されるカラオケ装置２と客室端末３０とにより構成される。図２にカラオケ装置２の機能ブロック構成を示した。また、図３に客室端末３０の外観図を示した。カラオケ装置２は、周知の通信カラオケシステムの演奏端末とほぼ同様のハードウエア構成となっている。中央制御部１１は、各周辺構成部を制御してカラオケ装置２を統括し、ハードディスク装置１２には多数のカラオケ楽曲について、ＭＩＤＩデータを主体とした伴奏音楽データと、歌詞画像の生成起源となる歌詞描出データとを含むカラオケデータが蓄積されている。また、曲名やアーティスト名などの目次情報と、所定形式の長時間分の動画データと、動画データの処理シーケンス（処理すべき動画データの格納場所と処理順番など）を規定した台本データなども格納されている。そして、中央制御部１１は、各楽曲のカラオケデータや目次情報、台本データなどを楽曲ＩＤによって識別し、これをカラオケデータベースとして管理している。そして、ネットワークインタフェース２３を介して適時に接続したホスト装置９０からカラオケデータを受け取ってカラオケデータベースの内容を更新する。
【００１９】
カラオケ装置２に付属する客室端末３０のハードウエア構成は、基本的には、無線ＬＡＮインタフェースを備えた周知のタブレットコンピュータと同じであり、内蔵するハードディスク装置などの外部記憶にはカラオケ装置２に蓄積されているものと同様の目次情報や、タッチパネル３１に表示する各種画像情報などが蓄積され、これら蓄積情報を楽曲索引データベースとして管理している。また、演奏予約などの操作対象となる同じ客室のカラオケ装置２についての所在情報（ＩＰアドレスなど）も外部記憶に記憶されている。
【００２０】
客室端末３０は、タッチパネル３１を介した利用者との対話を通じて目次情報の断片をクエリーとして受け付け、該当するカラオケ楽曲の目次情報を楽曲索引データベースより取り出して提示する。そして、客室端末３０において、最終的にカラオケ楽曲が１曲に特定され、その楽曲を演奏予約する旨の利用者入力がなされると、楽曲ＩＤを含む演奏予約コマンドのコードを無線ＬＡＮインタフェースを介して接続したＬＡＮ１１０を経由して同じ客室１２０にあるカラオケ装置２に向けて転送する。
【００２１】
カラオケ装置２の中央制御部１１は、客室端末３０からＬＡＮ１１０を経由して送付されてきた楽曲ＩＤをネットワークインタフェース２２を介して受け取る。あるいは、カラオケ装置２に配設された操作パネル１４に入力された楽曲ＩＤを操作制御部１３を介して受け取る。受け取った楽曲ＩＤを内部のＲＡＭに格納して演奏処理の待ち行列で管理する。そして、待ち行列から楽曲ＩＤを順次取り出し、該当のカラオケデータをハードディスク装置１２より読み出し、このカラオケデータ中の伴奏音楽データをシンセサイザ１８に転送して伴奏音楽を生成させる。
【００２２】
一方、歌詞描出データについては、伴奏音楽に同期して歌唱すべき箇所が色変わりする歌詞画像をビデオＲＡＭ１５に順次ビットマップ展開していく。また、台本データに基づいて所定の動画データを所定の順番で映像制御部１６に順次転送して歌詞画像の背景動画を復号させる。
【００２３】
ミキシングアンプ１９は伴奏音楽と、マイクロホン２１に入力された歌声音声とを混合・増幅してスピーカ２０より音響出力する。映像制御部１６は、復号した動画映像に歌詞画像をスーパーインポーズ処理してディスプレイ１７に表示出力する。
【００２４】
また、カラオケ装置２は、伴奏音楽に合わせて歌唱状態の巧拙を評価する歌唱採点機能を備えている。そして、その機能を実現するためのハードウエアとして歌唱採点部２３を備えている。中央制御部１１は、歌唱採点機能を利用する旨の利用者入力を受け付けると、演奏楽曲のカラオケデータにおける主旋律の楽音情報を逐次歌唱採点部２３に転送していく。歌唱採点部２３は、マイクロホン２１から入力される歌唱音声信号をサンプリングしてデジタル歌声データに変換し、この歌声データから歌声ピッチを抽出する。そして、ピッチ基準値と歌声ピッチとを比較し、その比較結果に基づく得点を、例えば１小節ごとなど、適宜な区間ごとに逐次出力していく。なお本実施例では１００点満点の区間得点を逐次出力する。中央制御部１１は、演奏終了後など全歌唱パートの演奏が終わった時点で、それまでに歌唱採点部２３から逐次出力された区間得点を集計し、その平均得点（最終得点）を採点結果としてディスプレイ１７に表示する。
【００２５】
＝＝＝電子メニュー注文装置＝＝＝
上述したように、客室端末３０は、電子メニュー注文装置としても機能する。外部記憶には、注文可能な飲食物の品目についての品目情報（名称、画像、価格、カロリーなど）がメニューデータベースとして記憶されている。客室端末３０は、各品目を品目ＩＤによって識別し、各品目ＩＤに品目情報（名称、画像、価格、カロリーなど）を対応付けして管理している。そして、所定の操作入力を受け付けると、メニューデータベースの各品目情報をタッチパネル３１に表示し、その表示した品目の注文入力を受け付け可能とする。図４〜図７は、客がある品目を注文するまでにタッチパネル３１に表示される画面概略図である。客室端末３０の起動時に表示されるトップ画面（図４、１３０）には、カラオケ楽曲の検索と演奏予約のための操作を行うためのボタン群１３１を主体とした画面構成である。そして、この画面１３０にある電子メニュー注文装置機能の呼び出しボタン１３２を指示すると、電子メニュー注文装置としてのトップ画面（メニュートップ画面：図４、１４０）が表示される。このメニュートップ画面１４０には、品目を飲み物と食べ物をそれぞれ個別に検索するためのボタン（１４１，１４２）が配設され、客は、このメニュートップ画面１４０を起点として、注文したい品目を検索し、目的とする品目を選択するための品目選択画面（図６、１５０）をタッチパネル３１に表示させる。そして、表示中の品目から特定の品目について注文数をリストダウンボックス１５１より指定し、その品目に対応する選択ボタン１５２を指示すると、選択した品目を確認して注文するための注文画面（図７、１６０）が表示される。客は、この画面１６０により注文品目と数量を確認し、注文の最終決定を下す。なお、この画面１６０にも数量を指定するためのリストダウンボックス１６１があり、数量を再度指定し直せる。注文に間違いがなければ、「注文」ボタン１６２を指示して注文を確定させる。注文しない場合には「キャンセル」ボタン１６３を指示し、先の品目を選択する画面１５０に画面を戻す。
【００２６】
客室端末３０は、注文画面１６０における「注文」ボタン１６２への指示操作を受け付けると、該当する品目ＩＤとその数量、および客室端末３０のＩＤを含む注文情報をＰＯＳシステム６０に向けて出力する。ＰＯＳシステム６０は、受け付けた注文情報に基づいて、注文者および配膳先となる客室と、注文された品目とを特定し、その後のＰＯＳ業務のための処理に移行する。
【００２７】
＝＝＝採点割引ゲーム＝＝＝
本実施例のカラオケ客室システム１は、カラオケ装置２における歌唱採点機能と、客室端末３０における電子メニュー注文装置機能とを連動させ、カラオケ楽曲を歌唱することと、客の飲食物注文意欲とを結びつけるためのゲームを実施することができる。ゲームの内容は、特定の品目を注文すると、その品目に対応する特定の楽曲を提示し、その楽曲を歌唱したときの採点結果が所定の得点以上であれば、その品目の料金を割り引く、というものである。以下、このゲーム（採点割引ゲーム）の実施に伴うカラオケ客室システム１の処理や動作を説明する。
【００２８】
客室端末３０は、採点割引ゲームを実施するために、外部記憶に、品目ＩＤと、楽曲ＩＤと、料金割引情報とを対応付けしたゲーム情報を記憶している。本実施例では、料金割引情報として、歌唱採点結果に応じた飲食物の割引料金が対応付けされている。例えば、「最終得点８０点以上で定価の１０％を割り引く」「最終得点８０点以上で一律５０円を割り引く」「８０点以上９０点未満なら定価の５％を割り引き、９０点以上なら定価の１０％を割り引く」などである。
【００２９】
図８に採点割引ゲームの実施と品目の料金割引に関わる処理の流れを示した。客室端末３０は、図６に示した品目選択画面１５０を表示し、客がその画面１５０中のある品目を選択したとき、その品目にゲーム情報が対応付けされていると、当該品目ＩＤに対応する楽曲と料金割引情報、および客をゲームに勧誘する旨のメッセージなどのゲーム情報を含む注文画面をタッチパネル３１に表示する（ｓ１，ｓ２→ｓ３）。図９にそのメッセージを含む注文画面の概略を示した。この画面１７０には、図７に示した注文画面１６０に表示された品目に関する情報（画像、定価、カロリーなど）に加え、特定の楽曲についての曲目１７１と、その楽曲を歌唱して採点結果が良ければ選択した品目の料金が割引になる旨のメッセージ１７２と、料金の割引に関する情報１７３とが表示される。そして、「注文」ボタン１６２に代わり、ゲームへの勧誘メッセージに対して了解する旨を指示するための「採点割引ゲームをする」ボタン１７４と、ゲームに参加せずに品目を注文する旨だけを指示するための「ゲームをしないで注文する」ボタン１７５が表示される。ここで客が「採点割引ゲームをする」ボタン１７４を指示してゲームの実施を了承すると、メッセージを含む注文画面１７０に表示されているカラオケ楽曲の楽曲ＩＤがカラオケ装置２に通知され、カラオケ装置２は、その楽曲ＩＤに採点割引ゲームの対象楽曲である旨の符号を付加して演奏の待ち行列に登録する（ｓ４→ｓ５）。また、注文情報はこの時点ではＰＯＳシステム６０に通知せず、保留として一時記憶しておく。「ゲームをしないで注文する」ボタン１７５が指示されれば直ちに注文情報をＰＯＳシステム６０に通知する（ｓ４→ｓ６→ｓ７）。そしてＰＯＳシステム６０が受け付けた注文状法に基づいて以後のＰＯＳ業務を遂行する（ｓ１９，ｓ２０）。
【００３０】
カラオケ装置２は、待ち行列から取り出した楽曲ＩＤに採点割引ゲーム対象楽曲の符号が付加されている場合、歌唱採点機能を作動させてその楽曲を演奏する（ｓ９→ｓ１０、ｓ１１）。楽曲演奏が終了したときに、当該楽曲がゲーム課題曲であったならば、最終得点が出力され、その最終得点と楽曲ＩＤとを採点データとして客室端末３０に通知する（ｓ１２→ｓ１３→ｓ１４）。客室端末３０は、カラオケ装置２から通知された採点データに含まれる楽曲ＩＤに対応する品目ＩＤを特定するとともに、当該品目ＩＤに対応するゲーム情報に含まれる最終得点と割引との関係に基づいて、当該品目の割引後の料金を計算する（ｓ１５〜ｓ１７）。そして、注文情報としてその割引後の料金で該当する品目を注文する旨をＰＯＳシステム６０に出力し、以後の処理をＰＯＳシステム６０に移行させる（ｓ１８〜ｓ２０）。
【図面の簡単な説明】
【００３１】
【図１】本発明の実施例におけるカラオケ客室システムを含むネットワーク構成図である。
【図２】上記カラオケ客室システムを構成しているカラオケ装置の機能ブロック図である。
【図３】上記カラオケ客室システムを構成する客室端末の外観図である。
【図４】上記客室端末に表示される初期画面の概略図である。
【図５】上記客室端末が電子メニュー注文装置として起動する際に表示するトップ画面の概略図である。
【図６】上記客室端末が電子メニュー注文装置として機能している際に表示する品目選択画面の概略図である。
【図７】上記客室端末が電子メニュー注文装置として機能している際に表示する注文画面の概略図である。
【図８】上記カラオケ客室システムが採点割引ゲームを実施する際の処理の流れ図である。
【図９】上記客室端末が上記採点割引ゲームを実施する際に表示する注文画面の概略図である。
【符号の説明】
【００３２】
１    カラオケ客室システム
２    カラオケ装置
３０  客室端末
６０  ＰＯＳシステム
【図１】
0004468312.tif 000002
【図２】
0004468312.tif 000003
【図３】
0004468312.tif 000004
【図４】
0004468312.tif 000005
【図５】
0004468312.tif 000006
【図６】
0004468312.tif 000007
【図７】
0004468312.tif 000008
【図８】
0004468312.tif 000009
【図９】
0004468312.tif 000010